【手続補正書】
【提出日】平成19年6月15日(2007.6.15)
【手続補正１】
【補正対象書類名】明細書
【補正対象項目名】発明の名称
【補正方法】変更
【補正の内容】
【発明の名称】駆動回路及び電圧ドライバ
【手続補正２】
【補正対象書類名】明細書
【補正対象項目名】特許請求の範囲
【補正方法】変更
【補正の内容】
【特許請求の範囲】
【請求項１】
高入力インピーダンスと低出力インピーダンスを有し、入力端子と出力端子との間に増幅部を備え、前記出力端子に得られる出力信号の電圧を前記入力端子に入力される入力信号の電圧に一致させるように動作する駆動回路において、
所定の電圧を有する入力信号が前記入力端子に入力されてから前記出力端子に得られる出力信号の電圧が前記所定電圧付近のレベルに到達する頃合に、前記入力端子と前記出力端子とを電気的に短絡させるとともに前記増幅部をオフにする駆動回路。
【請求項２】
第１および第２の信号を差動入力する差動入力部と、
電気的負荷に接続され、前記差動入力部の出力信号を増幅して前記負荷に供給する出力部と、
前記出力部より得られる出力信号を前記差動入力部に前記第２の信号として帰還させる帰還回路と、
所定の電圧を有する入力信号が前記第１の信号として前記差動入力部に入力されてから前記出力部の出力信号の電圧が前記所定電圧付近のレベルに到達する頃合に、前記入力信号を前記差動入力部および出力部に対してバイパスした回路を通して前記負荷に供給するバイパス制御手段と、
前記出力部の出力信号の電圧が前記所定電圧付近のレベルに到達する頃合に前記差動入力部および／または前記出力部をオフにする動作制御手段と
を有する駆動回路。
【請求項３】
前記バイパス回路が前記帰還回路からなる請求項２に記載の駆動回路。
【請求項４】
前記バイパス制御手段が、
前記差動入力部の前記第１および第２の信号をそれぞれ入力する第１および第２の入力端子の間に接続された開閉スイッチと、
前記出力部の出力信号の電圧が前記所定電圧付近のレベルに到達する前は前記スイッチを開状態に保持し、前記出力部の出力信号の電圧が前記所定電圧付近のレベルに到達した後は前記スイッチを閉状態に切り替えるスイッチ制御手段と
を含む請求項３に記載の駆動回路。
【請求項５】
前記差動入力部および／または前記出力部が定電流源回路を含み、
前記動作制御手段が、前記出力部の出力信号の電圧が前記所定電圧付近のレベルに到達する前は前記定電流源回路をオン状態に保持し、前記出力部の出力信号の電圧が前記所定電圧付近のレベルに到達した後は前記定電流源回路をオフ状態に切り替える定電流源制御手段を含む請求項２〜４のいずれか一項に記載の駆動回路。
【請求項６】
非反転入力と反転入力とを有し、上記非反転入力が電圧入力信号に結合され、上記反転入力が出力に結合された演算増幅器と、
上記演算増幅器の上記出力と上記非反転入力との間に結合され、上記演算増幅器の出力が上記入力信号のレベルに実質的に達すると上記電圧入力信号を上記出力に接続し、それにより上記演算増幅器のオフセット電圧が実質的に除去されるスイッチング回路と
を有する電圧ドライバ。
【請求項７】
請求項６に記載の電圧ドライバであって、
上記演算増幅器の上記非反転入力をそれの上記出力に結合する上記スイッチング回路を制御するためのスイッチング信号を生成する制御回路を更に有する電圧ドライバ。
【請求項８】
請求項６又は７に記載の電圧ドライバであって、
上記演算増幅器が、上記非反転入力及び上記反転入力に結合された差動入力回路と、上記出力に結合された定電流源とを有する、電圧ドライバ。
【請求項９】
請求項８に記載の電圧ドライバであって、
上記演算増幅器の上記非反転入力をそれの上記出力に接続するために上記スイッチング信号が上記スイッチング回路を操作するとき、上記制御回路が上記定電流源をオフ状態に置く電圧ドライバ。
【請求項１０】
請求項９に記載の電圧ドライバであって、
上記定電流源をオフ状態に置くために、上記制御回路が上記定電流源に印加されるバイアス電圧を変える電圧ドライバ。
【請求項１１】
請求項６乃至１０のいずれか一項に記載の電圧ドライバであって、
上記電圧入力信号がＬＣＤ諧調電圧を有し、上記演算増幅器の上記出力がＬＣＤに結合されている電圧ドライバ。
【手続補正３】
【補正対象書類名】明細書
【補正対象項目名】０００１
【補正方法】変更
【補正の内容】
【０００１】
【発明の属する技術分野】
本発明は、電気的負荷を電圧駆動する駆動回路に係り、特に電圧フォロア型の駆動回路および電圧ドライバに関する。
【手続補正４】
【補正対象書類名】明細書
【補正対象項目名】００１８
【補正方法】変更
【補正の内容】
【００１８】
本発明は、かかる問題点に鑑みてなされたもので、オフセットの影響を簡単かつ効率的に補償または回避して出力信号の電圧を目標値である入力信号の電圧に正確に一致させられるようにした駆動回路および電圧ドライバを提供することを目的とする。
【手続補正５】
【補正対象書類名】明細書
【補正対象項目名】００１９
【補正方法】変更
【補正の内容】
【００１９】
本発明の別の目的は、消費電流を大幅に低減するようにした駆動回路および電圧ドライバを提供することにある。
【手続補正６】
【補正対象書類名】明細書
【補正対象項目名】００２２
【補正方法】変更
【補正の内容】
【００２２】
本発明の第２の駆動回路において、好ましい一態様として、前記バイパス回路が前記帰還回路から構成され、前記バイパス制御手段が、前記差動入力部の前記第１および第２の信号をそれぞれ入力する第１および第２の入力端子の間に接続された開閉スイッチと、前記出力部の出力信号の電圧が前記所定電圧付近のレベルに到達する前は前記スイッチを開状態に保持し、前記出力部の出力信号の電圧が前記所定電圧付近のレベルに到達した後は前記スイッチを閉状態に切り替えるスイッチ制御手段とを含む構成であってよい。
あるいは別の好ましい一態様として、前記差動入力部および／または前記出力部が定電流源回路を含み、前記動作制御手段が、前記出力部の出力信号の電圧が前記所定電圧付近のレベルに到達する前は前記定電流源回路をオン状態に保持し、前記出力部の出力信号の電圧が前記所定電圧付近のレベルに到達した後は前記定電流源回路をオフ状態に切り替える定電流源制御手段を含む構成であってよい。
【手続補正７】
【補正対象書類名】明細書
【補正対象項目名】００２３
【補正方法】変更
【補正の内容】
【００２３】
本発明の電圧ドライバは、非反転入力と反転入力とを有し、上記非反転入力が電圧入力信号に結合され、上記反転入力が出力に結合された演算増幅器と、上記演算増幅器の上記出力と上記非反転入力との間に結合され、上記演算増幅器の出力が上記入力信号のレベルに実質的に達すると上記電圧入力信号を上記出力に接続し、それにより上記演算増幅器のオフセット電圧が実質的に除去されるスイッチング回路とを有する。
本発明の電圧ドライバは、好ましい一態様として、上記演算増幅器の上記非反転入力をそれの上記出力に結合する上記スイッチング回路を制御するためのスイッチング信号を生成する制御回路を更に有する。また、好ましい一態様として、上記演算増幅器が、上記非反転入力及び上記反転入力に結合された差動入力回路と、上記出力に結合された定電流源とを有する。この場合、好ましくは、上記演算増幅器の上記非反転入力をそれの上記出力に接続するために上記スイッチング信号が上記スイッチング回路を操作するとき、上記制御回路が上記定電流源をオフ状態に置くように構成される。更に好ましくは、上記定電流源をオフ状態に置くために、上記制御回路が上記定電流源に印加されるバイアス電圧を変える。また、好ましい一態様として、上記電圧入力信号がＬＣＤ諧調電圧を有し、上記演算増幅器の上記出力がＬＣＤに結合されている。
【手続補正８】
【補正対象書類名】明細書
【補正対象項目名】００８６
【補正方法】変更
【補正の内容】
【００８６】
【発明の効果】
以上説明したように、本発明の駆動回路または電圧ドライバによれば、オフセットの影響を簡単かつ効率的に補償または回避して出力信号の電圧を目標値である入力信号の電圧に正確に一致させることができるとともに、消費電流を大幅に少なくすることができる。